(57)【要約】【課題】電子機器に悪影響を及ぼすことなく、確実に不正行為の早期発見を実現し、不正による被害の拡大防止を図ること。【解決手段】主制御基板３００は、基板本体３０１と、ＬＥＤブラックライト３０３と、基板ケース２１０とを備える。ＬＥＤブラックライト３０３は、基板本体３０１に設けられ、所定の波長領域の光を照射する。基板本体３０１は、ソルダーレジストの表面に、ＬＥＤブラックライト３０３による光の照射によって発光する特殊樹脂３０４が塗布されたものである。基板ケース２１０は、ＬＥＤブラックライト３０３に対応する位置に、ＬＥＤブラックライト３０３に対して断面が凹状に形成され、かつ、特殊樹脂４０１がハーフ蒸着されたものである。【選択図】図３
2010022518.tif 000002
【特許請求の範囲】
【請求項１】
基板本体と、
前記基板本体に設けられ、所定の波長領域の光を照射する照射部と、
を備え、
前記基板本体は、表面に、前記照射部による前記光の照射によって発光する発光樹脂が塗布されたものであることを特徴とする制御基板。
【請求項２】
前記基板本体を覆うケース部材をさらに備え、
前記ケース部材は、前記発光樹脂がハーフ蒸着されたものであることを特徴とする請求項１に記載の制御基板。
【請求項３】
前記ケース部材は、前記照射部に対応する位置に、前記照射部からの光を前記基板本体側に反射させるための反射部を備え、
前記反射部は、前記照射部に対して断面を凹状に形成させたものであるとともに、前記発光樹脂がハーフ蒸着されたものであることを特徴とする請求項２に記載の制御基板。
【請求項４】
前記照射部は、ブラックライトを用いたものであり、
前記発光樹脂は、前記ブラックライトによって発光するものであることを特徴とする請求項１〜３のいずれか一つに記載の制御基板。
【請求項５】
電子機器の基本動作を制御する主制御基板に用いられることを特徴とする請求項１〜４のいずれか一つに記載の制御基板。
【請求項６】
請求項１〜５のいずれか一つに記載の制御基板を備えることを特徴とする遊技機。
【発明の詳細な説明】
【技術分野】
【０００１】
この発明は、制御基板、およびこれを備えた遊技機に関する。
【背景技術】
【０００２】
ぱちんこ遊技機やスロット遊技機などの遊技機を設置した遊技場においては、当該遊技機を不正に改造して、遊技者が不当に遊技媒体を獲得する不正行為が後を絶たない。この不正行為は、具体的には、遊技機の制御を司る主制御基板や当該主制御基板に実装されているＲＯＭなどを不正なもの（所謂、裏ロム）に交換することによっておこなわれる。
【０００３】
そして、このような不正行為により、遊技場が被る被害は甚大なものとなっている。不正行為を防止するために、従来から、各遊技場においては様々な不正対策がおこなわれている。たとえば、各遊技場において、不正行為を監視するために、監視カメラを設置したり、従業員の数を増やしたりする対策が講じられている。
【０００４】
また、このほかの不正対策としては、遊技機の主制御基板の基板ケースに識別情報を有するＩＣタグを取り付け、当該ＩＣタグを、遊技島の内部に取り付けられたタグリーダによって読み取ることにより、主制御基板が不正に交換されていないか否かを検出するようにした技術が提案されている（たとえば、下記特許文献１参照。）。
【０００５】
【特許文献１】特開２００８−０００２０４号公報
【発明の開示】
【発明が解決しようとする課題】
【０００６】
しかしながら、監視カメラの設置や従業員の増員によって不正行為の監視を強化したとしても、不正行為自体の巧妙化により、監視カメラでは捉えきれなかったり、従業員が気付かなかったりする場合が多く、結果的に不正行為を十分に把握することができないといった問題があった。
【０００７】
また、上述した特許文献１に記載の従来技術は、タグリーダが呼出波を発信することにより誘導電磁界を発生させ、当該誘導電磁界の電磁誘導によりＩＣタグの起電力を発生させるものであるため、発生させた誘導電磁界が、他の制御基板や遊技媒体貸出装置などの他の電子機器に悪影響を及ぼすおそれがあるといった問題があった。
【０００８】
特に、特許文献１の技術では、コスト面の観点からタグリーダの数を減らすことが望まれるが、タグリーダの数を減らすと、タグリーダとＩＣタグとの距離が離れる分、呼出波の誘導電磁界の強度を強める必要がある。そして、このように誘導電磁界の強度を強めると、電子機器への悪影響を及ぼすおそれがいっそう高まるといった問題があった。
【０００９】
この発明は、上述した問題点を解消するため、電子機器に悪影響を及ぼすことなく、確実に不正行為の早期発見を実現し、不正による被害の拡大防止を図ることができる制御基板、およびこれを備えた遊技機を提供することを目的とする。
【課題を解決するための手段】
【００１０】
上述した課題を解決し、目的を達成するため、この発明にかかる制御基板は、基板本体と、前記基板本体に設けられ、所定の波長領域の光を照射する照射部と、を備え、前記基板本体は、表面に、前記照射部による前記光の照射によって発光する発光樹脂が塗布されたものであることを特徴とする。この発明によれば、照射部からの照射により基板本体を発光させることができる。
【００１１】
また、上記発明において、前記基板本体を覆うケース部材をさらに備え、前記ケース部材は、前記発光樹脂がハーフ蒸着されたものが望ましい。この発明によれば、ケース部材を発光させることができる。
【００１２】
また、上記発明において、前記ケース部材は、前記照射部に対応する位置に、前記照射部からの光を前記基板本体側に反射させるための反射部を備えるようにし、当該反射部が、前記照射部に対して断面を凹状に形成させたものであるとともに、前記発光樹脂がハーフ蒸着されたものが望ましい。この発明によれば、ケース部材を発光させることができるとともに、基板本体を有効に発光させることができる。
【００１３】
また、上記発明において、前記照射部は、ブラックライトを用いたものであり、前記発光樹脂は、前記ブラックライトによって発光するものであることが望ましい。この発明によれば、最も効果的に基板本体を発光させることができる。
【００１４】
また、上記制御基板は、電子機器の基本動作を制御する主制御基板に用いられることが望ましい。
【００１５】
また、この発明にかかる遊技機は、上記制御基板を備えることを特徴とする。
【発明の効果】
【００１６】
本発明にかかる制御基板、およびこれを備えた遊技機によれば、電子機器に悪影響を及ぼすことなく、確実に不正行為の早期発見を実現し、不正による被害の拡大防止を図ることができるという効果を奏する。
【発明を実施するための最良の形態】
【００１７】
（実施の形態）
以下に、添付図面を参照して、この発明にかかる制御基板、およびこれを備えた遊技機の好適な実施の形態を詳細に説明する。なお、本実施の形態では、この発明にかかる異常検知装置を遊技媒体の貸し出しを制御する遊技媒体貸出装置に適用した例について説明する。
【００１８】
（遊技機の基本構成）
図１は、本実施の形態にかかる遊技機の一例を示す正面図である。図１に示す遊技機１００において、遊技盤１０１の下部位置に配置された図示せぬ発射部の駆動によって発射された遊技球は、レール１０２ａ，１０２ｂ間を上昇して遊技盤１０１の上部位置に達した後、遊技領域１０３内を落下する。遊技領域１０３には、図示を省略する複数の釘が設けられ、遊技球を各種の方向に向けて落下させるとともに、落下途中の位置には、遊技球の落下方向を変化させる風車や、入賞口が配設されている。
【００１９】
遊技盤１０１の遊技領域１０３の中央部分には、表示部１０４が配置されている。表示部１０４としては、たとえば、液晶表示器（ＬＣＤ）が用いられる。表示部１０４の下方には、始動入賞させるための始動入賞口１０５が配設されている。表示部１０４の左右には、それぞれ入賞ゲート１０６が配設されている。入賞ゲート１０６は、遊技球の通過を検出し、始動入賞口１０５を一定時間だけ開放させる抽選をおこなうために設けられる。
【００２０】
表示部１０４の側部や下方などには普通入賞口１０７が配設されている。普通入賞口１０７に遊技球が入賞すると、普通入賞時の賞球数（たとえば、１０個）の払い出しをおこなう。遊技領域１０３の最下部には、どの入賞口にも入賞しなかった遊技球を回収する回収口１０８が設けられている。
【００２１】
上述した表示部１０４は、特定の入賞口に遊技球が入賞したとき（始動入賞時）に、複数の図柄の表示の変動を開始させ、所定時間後に図柄が停止する。この停止時に特定図柄（たとえば、「７７７」）が揃ったとき、大当たり状態となる。大当たり状態のとき、下方に位置する大入賞口１０９が一定の期間開放を所定ラウンド（たとえば、１５ラウンド）繰り返し、入賞した遊技球に対応した賞球数を払い出す。
【００２２】
（遊技機の背面構成）
つぎに、図２を用いて、本実施の形態にかかる遊技機１００の背面について説明する。図２は、本実施の形態にかかる遊技機１００の背面図である。なお、図２に示す背面図は、図１に示した遊技盤１０１を裏面から見た状態である。図示の例では、遊技機１００は、機枠２０１に嵌め込まれている。なお、この機枠２０１に嵌め込まれている遊技機１００は、図示せぬ設置枠に対して片開きする構成になっており、すなわち、設置枠に対して固定された状態と開放した状態とに位置することが可能な開閉自在な構成になっている。
【００２３】
なお、この遊技機１００は、遊技に使用する遊技球や遊技メダルなどの遊技媒体を貸し出す図示せぬ遊技媒体貸出装置に接続される。遊技媒体貸出装置は、たとえば、遊技者から投入されたカードなどに記憶されている入金情報に応じて、遊技媒体の貸し出しに関する信号を遊技機１００に送信する。
【００２４】
また、遊技機１００には、主制御基板、演出制御基板、賞球制御基板などの各種制御基板を基板ケース２１０〜２１２で覆った状態で配置している。具体的には、主制御基板は基板ケース２１０に、賞球制御基板は基板ケース２１１に、演出制御基板は基板ケース２１２に、それぞれ覆われている。また、基板ケース２１２は、裏カバー２２０によって覆われている。
【００２５】
基板ケース２１０〜２１２は、外部から各種制御基板の不正改造や、不正基板への交換などの不正行為ができないように、各種制御基板の上面および側面を覆う構成となっている。さらに、基板ケース２１０〜２１２は、たとえば、アクリルなどの透明部材によって構成されており、各種制御基板の不正改造や、不正基板への交換などの不正行為に対して目視確認ができるようになっている。
【００２６】
また、裏カバー２２０は、透明ケースによって構成されており、基板ケース２１２の外側に配設されている接続ケーブルを保護する。具体的には、裏カバー２２０によって、各種制御基板やその他遊技機の部品に接続される接続ケーブルが保護されている。
【００２７】
（主制御基板の構成の一例）
つぎに、図３および図４を用いて、本実施の形態にかかる主制御基板の構成の一例について説明する。図３は、本実施の形態にかかる主制御基板の構成の一例を示す説明図である。図４は、図３のＡ−Ａ断面を示した断面図である。
【００２８】
図３において、主制御基板３００は、基板本体３０１上にＣＰＵ、ＲＯＭ、ＲＡＭ、などの電子部品３０２を実装している。また、基板本体３０１上の中央には、照射部としてのＬＥＤブラックライト３０３が設けられている。このＬＥＤブラックライト３０３は、波長４００ｎｍ以下の光を放射する。なお、本実施の形態においては、ＬＥＤを用いているが、蛍光管や白熱電球を用いることも可能である。
【００２９】
また、ＬＥＤブラックライト３０３を配置する位置については、基板本体３０１上の中央に限られない。また、ＬＥＤブラックライト３０３の電源のオンオフについては、遊技機１００の電源のオンオフと同時におこなわれるが、このほかにも、別途、ＬＥＤブラックライト３０３用のスイッチを設けて電源のオンオフをおこなってもよい。
【００３０】
また、基板本体３０１のソルダーレジスト上には、ＬＥＤブラックライト３０３の照射によって発光する特殊樹脂３０４が塗布されている。この特殊樹脂３０４は、ＬＥＤブラックライト３０３が照射されていない状態では、たとえば、白または半透明である。なお、この樹脂には、たとえば、ユウロピウムをドープさせたフッ化ホウ素酸ストロンチウムや、鉛をドープさせたケイ化バリウムなどが用いられる。また、発光する色については、顔料を変更することにより任意の色を用いることが可能である。
【００３１】
この主制御基板３００は、基板ケース２１０に収容されている。基板ケース２１０は、矩形上をなし、主制御基板３００の上面を覆う上面部３１０と、側面を覆う側壁３１１とからなる。基板ケース２１０の上面部３１０は、基板ケース２１０の内部に設置された基板本体３０１に対して略平行な面によって構成される。一方、側壁３１１は、基板本体３０１に対して略垂直な面によって構成される。したがって、基板ケース２１０と主制御基板３００とによって直方体を形成している。なお、以下の説明において、基板ケース２１０の上面部３１０について、主制御基板３００に向いている側の面を内面３１０ａとし、主制御基板３００に向いていない側の面を外面３１０ｂとする。
【００３２】
基板ケース２１０の内面３１０ａのＬＥＤブラックライト３０３に対応する部位には、ＬＥＤブラックライト３０３からの光を基板本体３０１側に反射させるための反射部３２０が形成されている。この反射部３２０は、図４に示すように、断面が凹状に形成されており、さらに表面に、ＬＥＤブラックライト３０３の照射によって発光する特殊樹脂４０１がハーフ蒸着されている。なお、図４においては、便宜上、図３に示した電子部品３０２を図示していない。
【００３３】
なお、基板ケース２１０は、上述したようにアクリルなどの透明部材によって構成されている。また、反射部３２０の特殊樹脂４０１がハーフ蒸着されている箇所については特殊樹脂４０１により半透明となっている。したがって、基板ケース２１０は、外部から内部を目視することが可能な構成になっている。
【００３４】
（ＬＥＤブラックライトの照射による作用）
つぎに、ＬＥＤブラックライト３０３の照射による作用について説明する。たとえば、店員が遊技機１００の主電源をオンにすると、ＬＥＤブラックライト３０３が点灯する。ＬＥＤブラックライト３０３が点灯すると、反射部３２０の凹形状および特殊樹脂４０１がハーフ蒸着されていることにより、ＬＥＤブラックライト３０３からの光の一部が、基板本体３０１側に反射する。反射した光により、基板本体３０１上の特殊樹脂３０４が所定の色に発光する。なお、ＬＥＤブラックライト３０３からの直接の光によっても、基板本体３０１上の特殊樹脂３０４は所定の色に発光する。
【００３５】
一方、反射部３２０の形状および特殊樹脂４０１のハーフ蒸着により、ＬＥＤブラックライト３０３からの光の一部は、外面３１０ｂ側に放出される。このとき、外面３１０ｂ側に放出される光は、特殊樹脂４０１により所定の色に発光する。したがって、ＬＥＤブラックライト３０３が点灯した状態を外部から見ると、基板ケース２１０の反射部３２０が発光するとともに、基板本体３０１も発光した状態となる。
【００３６】
このような構成であるため、店員による遊技機１００の点検時に、遊技機１００を設置枠から開放させた際、店員が遊技機１００の背面を一見するだけで、主制御基板３００が不正に交換されていないかを簡単に確認することができるようになっている。
【００３７】
本実施の形態において、特殊樹脂３０４，４０１によって基板本体３０１は、ＬＥＤブラックライト３０３の発光色とは異なる色（所定の色）に発色する。つまり、ＬＥＤブラックライト３０３の発光色と、そのＬＥＤブラックライト３０３の照射によって発色する基板ケース２１０の上面部３１０および基板本体３０１のソルダーレジストの色を容易に区別することができるようになっている。したがって、正規の部品を使用しているか否かを容易に識別できる。
【００３８】
なお、本実施の形態では、ＬＥＤブラックライト３０３は青紫色に発光するのに対して、基板ケース２１０の上面部３１０およびソルダーレジストは、黄緑色に発色する。なお、発色する色は、黄緑色ではなく、橙色とすることも可能である。また、遊技機１００の製造ロット数に合わせて特殊樹脂３０４，４０１の発色剤を変更し、つまり、発色する色を変更することにより、正規の部品を使用しているか否かを容易に識別することも可能である。
【００３９】
なお、本実施の形態において、基板ケース２１０の内面３１０ａに特殊樹脂４０１をハーフ蒸着させている箇所は反射部３２０のみとしているが、内面３１０ａの全面とすることも可能である。また、基板ケース２１０の内面３１０ａに凹凸をもたせたり、特殊樹脂４０１を蒸着させる厚さや発光する色を部分的に変えたりすることにより、たとえば、一見して把握できる、所定の文字、記号、マークなどを発光させるようにしてもよい。さらに、基板本体３０１上に塗布した特殊樹脂３０４についても、同様に特殊樹脂４０１を蒸着させる厚さや発光する色を部分的に変えることにより、一見して把握できる、所定の文字、記号、マークなどを発光させるようにしてもよい。
【００４０】
このように、本実施の形態にかかる主制御基板３００は、基板本体３０１上に所定の波長領域の光を照射するＬＥＤブラックライト３０３を備え、基板本体３０１の表面に、ＬＥＤブラックライト３０３による光の照射によって発光する特殊樹脂３０４を塗布したものを用いたので、基板本体３０１を発光させることができる。したがって、主制御基板３００が不正なものに交換される不正行為があった場合には、所定の発光が見受けられなくなるため、目視によって当該不正行為を簡単に発見することができる。これにより、電子機器に悪影響を及ぼすことなく、不正による被害の拡大防止を図ることができる。
【００４１】
また、基板本体３０１上にＬＥＤブラックライト３０３を設けたので、別途、遊技島内などにブラックライトを設ける必要がなく、つまり、不正防止にかかる設備投資やスペースの確保などをおこなう必要がなく、不正行為を簡単に発見することができる。
【００４２】
また、本実施の形態にかかる主制御基板３００によれば、基板本体３０１を覆う基板ケース２１０に、特殊樹脂４０１がハーフ蒸着されたものを用いたので、基板ケース２１０を発光させることができる。したがって、仮に基板ケース２１０が交換された場合にも、所定の発光が見受けられなくなるため、目視によって当該不正行為を簡単に発見することができる。
【００４３】
また、本実施の形態にかかる主制御基板３００によれば、基板ケース２１０、ＬＥＤブラックライト３０３に対応する位置に、ＬＥＤブラックライト３０３に対して断面を凹状に形成させ、かつ、発光樹脂がハーフ蒸着されたＬＥＤブラックライト３０３を備えるようにしたので、ＬＥＤブラックライト３０３からの光を基板本体３０１側に効果的に反射させることができる。したがって、主制御基板３００が交換される不正行為があった場合に、所定の発光が見受けられなくなることにより、当該不正行為を簡単に発見することができる。
【００４４】
なお、上述した説明では、照射部としてＬＥＤブラックライト３０３を用い、当該ＬＥＤブラックライト３０３によって発光する特殊樹脂３０４，４０１を用いたが、これに限られるものではなく、たとえば、所定の可視光を照射することによって所定の色に発光する発光樹脂が塗布されたものなどを用いてもよい。すなわち、上述した構成以外にも、基板本体３０１上に所定の波長領域の光を照射する照射部を備え、基板本体３０１の表面に、当該光の照射によって発光する発光樹脂が塗布された構成であれば、いかなる照射部および発光樹脂を用いることも可能である。
【００４５】
また、上述した遊技機１００は、所謂デジパチと呼ばれるタイプのものであるが、このほかにも、羽根モノ、権利モノなどのタイプの遊技機に、本実施の形態にかかる主制御基板３００を用いることもできる。また、上述した説明では、主制御基板３００についてのみ説明したが、演出制御基板、賞球制御基板についても同様の構成とすることも可能である。さらに、この主制御基板３００は遊技機１００に用いられることに限らず、制御基板の不正な交換を防止する必要のある他の電子機器に用いることも可能である。
【００４６】
以上説明したように、この発明にかかる制御基板、およびこれを備えた遊技機によれば、電子機器に悪影響を及ぼすことなく、確実に不正行為の早期発見を実現し、不正による被害の拡大防止を図ることができる。
【産業上の利用可能性】
【００４７】
本発明にかかる制御基板、およびこれを備えた遊技機は、ぱちんこ遊技機、スロット遊技機、その他各種電子機器の不正対策に有用であり、特に、ぱちんこホールやゲームセンター（プレイランド）、家庭用ゲーム機での設置、使用に適している。
【図面の簡単な説明】
【００４８】
【図１】本実施の形態にかかる遊技機の遊技盤の一例を示す正面図である。
【図２】本実施の形態にかかる遊技機の背面図である。
【図３】本実施の形態にかかる主制御基板の構成の一例を示す説明図である。
【図４】図３のＡ−Ａ断面を示した断面図である。
【符号の説明】
【００４９】
１００  遊技機
２１０〜２１２  基板ケース
３００  主制御基板
３０１  基板本体
３０２  電子部品
３０３  ＬＥＤブラックライト
３０４  特殊樹脂
３２０  反射部
４０１  特殊樹脂
【図１】
2010022518.tif 000003
【図２】
2010022518.tif 000004
【図３】
2010022518.tif 000005
【図４】
2010022518.tif 000006